(57)【要約】【課題】  搭載されるロール体を安定的且つ確実に不動状態に保持して安全に輸送することができるロール体用コンテナを提供する。【解決手段】  ロール体用コンテナ４０は、搭載されるロール体１０の下方に位置して基体を構成するパレット１と、ロール体１０の巻芯２２の両端部のそれぞれに着脱自在に嵌合される一対の軸部材２３と、巻芯２２の両端部に嵌合された一対の軸部材２３を支持する一対の支持部材９と、パレット１に取り付けられ、ロール体１０の搭載位置を挟む両側位置に配置された一対の支持部材９を着脱自在に保持する一対の台座８と、を有する。【選択図】  図２
2013227071.tif 000002
【特許請求の範囲】
【請求項１】
巻芯が円筒状のロール体を搭載して輸送するためのロール体用コンテナであって、
搭載される前記ロール体の下方に位置して基体を構成するパレットと、
前記巻芯の両端部のそれぞれに着脱自在に嵌合される一対の軸部材と、
前記巻芯の両端部に嵌合された前記一対の軸部材を支持する一対の支持部材と、
前記パレットに取り付けられ、前記ロール体の搭載位置を挟む両側位置に配置された前記一対の支持部材を着脱自在に保持する一対の台座と、
を有することを特徴とするロール体用コンテナ。
【請求項２】
前記一対の台座のそれぞれは、
前記パレットとは別部材で構成される共に、
前記一対の支持部材を上方から嵌合させて保持する嵌合溝を有する、
ことを特徴とする請求項１に記載のロール体用コンテナ。
【請求項３】
前記一対の台座のそれぞれは、締め付け部材により前記パレットに締め付けられて取り付けられることを特徴とする請求項２に記載のロール体用コンテナ。
【請求項４】
前記一対の支持部材のそれぞれは、
前記一対の軸部材を支持する部分を境に上下方向に分割可能な下部材および上部材で構成され、
前記下部材は、
前記一対の軸部材に下方から嵌合する略半円状の下軸受け部を有し、
前記上部材は、
前記一対の軸部材に上方から嵌合する略半円状の上軸受け部を有し、
前記下軸受け部および前記上軸受け部のうち少なくとも一方は、前記一対の軸部材に形成される回り止め溝に嵌合して前記一対の軸部材の回転を阻止する回り止め凸部を有する、
ことを特徴とする請求項１〜３のいずれかに記載のロール体用コンテナ。
【請求項５】
前記パレットに搭載された前記ロール体を囲うスリーブと、
前記スリーブの上端開口を塞ぐ蓋体と、
を有し、
前記蓋体は、
前記一対の支持部材を上方から保持する一対の上部台座を有する、
ことを特徴とする請求項１〜４のいずれかに記載のロール体用コンテナ。
【請求項６】
前記パレットは、
上面側から下面側に向けて凹む複数の脚部を有し、
前記複数の脚部は、
前記巻芯から取り外された前記一対の軸部材を収納可能であり、
前記一対の台座の間に形成される空間部は、
前記パレットから取り外された前記スリーブおよび前記一対の支持部材を倒伏姿勢で収納可能であり、
前記一対の台座と前記一対の上部台座は、
前記パレットに前記蓋体が上方から重ねられたときに互いに噛み合う形状に形成される、
ことを特徴とする請求項５に記載のロール体用コンテナ。
【発明の詳細な説明】
【技術分野】
【０００１】
本発明は、巻芯が円筒状のロール体を輸送するためのものであって、搭載されるロール体を確実に不動状態に保持して安全に輸送することができるロール体用コンテナに関するものである。
【背景技術】
【０００２】
フィルム、シート、紙あるいは織物等の帯状物を巻芯に巻いたロール体が広く利用されている。従来、この種のロール体を搭載して輸送するためのコンテナとして、例えば、特許文献１および特許文献２に記載されているものが知られている。
【０００３】
この種のロール体用コンテナにおいては、ロール体を損傷することなく安全に輸送するうえで、ロール体を不動状態に保持することが肝要である。このため、前掲の特許文献１および特許文献２には、運搬用容器の下容器やパレットに取り付けた一対の軸受け部材にロール体の軸を支持させることにより、ロール体を不動状態に保持するようにしたロール体用コンテナが開示されている。
【先行技術文献】
【特許文献】
【０００４】
【特許文献１】特開２００５-３１３９１３号公報
【特許文献２】特開２００６-１０３７８０号公報
【発明の概要】
【発明が解決しようとする課題】
【０００５】
前傾の特許文献１に記載される運搬用容器では、運搬用容器の側壁部に軸受け部材を沿わせて底面の支持部に挿入することにより、軸受け部材を取り付ける。このように、運搬用容器の一部である側壁部を利用して（運搬用容器の一部を兼用して）軸受け部材を支持する構造では、構成上の制約が多くなるため、運搬用容器に対する軸受け部材の取り付け強度が不安定になる。
【０００６】
また、特許文献２に記載されているロール製品用コンテナにあっては、パレットに装着された支軸保持部がスライド可能であるため、ロール製品の不動状態を安定的且つ確実に保持することは難しい。
【０００７】
そこで、本発明の目的は、ロール体を支持する支持部材をパレットに強固に取り付けることができ、搭載されるロール体を安定的且つ確実に不動状態に保持して安全に輸送することができるロール体用コンテナを提供することにある。
【課題を解決するための手段】
【０００８】
上記目的を達成するため、本発明は、以下の構成によって把握される。
（１）本発明は、巻芯が円筒状のロール体を搭載して輸送するためのロール体用コンテナであって、搭載される前記ロール体の下方に位置して基体を構成するパレットと、前記巻芯の両端部のそれぞれに着脱自在に嵌合される一対の軸部材と、前記巻芯の両端部に嵌合された前記一対の軸部材を支持する一対の支持部材と、前記パレットに取り付けられ、前記ロール体の搭載位置を挟む両側位置に配置された前記一対の支持部材を着脱自在に保持する一対の台座と、を有することを特徴とする。
【０００９】
この構成によれば、パレットに取り付けられる台座により、支持部材を保持することができる。すなわち、支持部材をパレットに取り付けるための専用の台座を、ロール体の軸方向の幅に合わせて適切な位置に配置することにより、支持部材をパレットに強固に取り付けることができる。したがって、搭載されるロール体を安定的且つ確実に不動状態に保持することができる。
【００１０】
（２）本発明では、（１）の構成において、前記一対の台座のそれぞれは、前記パレットとは別部材で構成される共に、前記一対の支持部材を上方から嵌合させて保持する嵌合溝を有する、ことを特徴とする。
【００１１】
この構成によれば、パレットとは別部材で台座を構成したので、台座の設計の自由度が高まる。これにより、支持部材の取り付け強度を確保するうえで、最適に構成された台座を用いて、支持部材をパレットに取り付けることができる。また、支持部材を嵌合溝に上から嵌合するだけで、支持部材を台座に固定できるので、支持部材の取り付け作業の容易化を図ることができる。
【００１２】
（３）本発明では、（２）の構成において、前記一対の台座のそれぞれは、締め付け部材により前記パレットに締め付けられて取り付けられることを特徴とする。
【００１３】
この構成によれば、締め付け部材によって、パレットに台座がしっかりと固定されるので、支持部材の取り付け強度をより高めることができる。
【００１４】
（４）本発明では、（１）〜（３）のいずれかの構成において、前記一対の支持部材のそれぞれは、前記一対の軸部材を支持する部分を境に上下方向に分割可能な下部材および上部材で構成され、前記下部材は、前記一対の軸部材に下方から嵌合する略半円状の下軸受け部を有し、前記上部材は、前記一対の軸部材に上方から嵌合する略半円状の上軸受け部を有し、前記下軸受け部および前記上軸受け部のうち少なくとも一方は、前記一対の軸部材に形成される回り止め溝に嵌合して前記一対の軸部材の回転を阻止する回り止め凸部を有する、ことを特徴とする。
【００１５】
この構成によれば、回り止め溝と回り止め凸部との嵌合により、軸部材の回転が阻止される。これにより、ロール体の回転も阻止されるので、搭載されるロール体の不動状態を回転方向においても保持することができる。
【００１６】
（５）本発明は、（１）〜（４）のいずれかの構成において、前記パレットに搭載された前記ロール体を囲うスリーブと、前記スリーブの上端開口を塞ぐ蓋体と、を有し、前記蓋体は、前記一対の支持部材を上方から保持する一対の上部台座を有する、ことを特徴とする。
【００１７】
この構成によれば、支持部材の上端部が蓋体の上部台座によって保持されるので、支持部材の姿勢を安定させることができる。これと同時に、スリーブの上端開口を蓋体で塞ぐときに蓋体の位置決めを行うこともできる。
【００１８】
（６）本発明では、（５）の構成において、前記パレットは、上面側から下面側に向けて凹む複数の脚部を有し、前記複数の脚部は、前記巻芯から取り外された前記一対の軸部材を収納可能であり、前記一対の台座の間に形成される空間部は、前記パレットから取り外された前記スリーブおよび前記一対の支持部材を倒伏姿勢で収納可能であり、前記一対の台座と前記一対の上部台座は、前記パレットに前記蓋体が上方から重ねられたときに互いに噛み合う形状に形成されることを特徴とする。
【００１９】
この構成によれば、芯軸から取り外された軸部材を脚部に収納できるので、使用後においてロール体用コンテナの減容化を図ることができる。また、パレットから取り外されたスリーブおよび支持部材を、一対の台座の間に形成される空間部に収納した後、パレットに蓋体を上方から重ねることで、使用後においてロール体用コンテナをより一層減容化することができる。さらに、台座と上部台座を互いに噛み合う形状に形成したので、パレットに蓋体を上方から重ねたときに蓋体の位置決めを行うこともでき、且つ、減容時のロール体用コンテナの高さを低く抑えることができる。
【発明の効果】
【００２０】
本発明のロール体用コンテナによれば、ロール体を支持する支持部材をパレットに強固に取り付けることができ、搭載されるロール体を安定的且つ確実に不動状態に保持して安全に輸送することができる。
【図面の簡単な説明】
【００２１】
【図１】本発明に係るロール体用コンテナの斜視図である。
【図２】図１に示されるロール体用コンテナの分解斜視図である。
【図３】パレットの斜視図である。
【図４】（ａ）は図３に示される台座を抜き出して示す斜視図、（ｂ）は（ａ）のＣ矢視図である。
【図５】図１のＡ−Ａ線断面図である。
【図６】図１のＢ−Ｂ線断面図である。
【図７】上下反転させた蓋体の斜視図である。
【図８】（ａ）は図７に示される上部台座を抜き出して示す斜視図、（ｂ）は（ａ）のＤ矢視図である。
【図９】ロール体用コンテナを減容化する方法を説明する図である。
【図１０】減容化されたロール体用コンテナの斜視図である。
【発明を実施するための形態】
【００２２】
（実施形態）
以下、添付図面を参照して、本発明を実施するための形態（以下、「実施形態」と称する。）について詳細に説明する。実施形態の説明の全体を通して同じ要素には同じ番号を付している。また、図面は、符号の向きに見るものとする。
【００２３】
（ロール体用コンテナ４０の全体構成）
まず、実施形態のロール体用コンテナ４０の全体構成を図１および図２に基づいて説明する。
【００２４】
図１に示すように、ロール体用コンテナ４０は、ロール体１０を所定個数（この例では、２本）搭載して輸送するためのものである。
【００２５】
図２に示すように、ロール体用コンテナ４０は、搭載されるロール体１０の下方に位置して基体を構成するパレット１を有する。また、ロール体用コンテナ４０は、各ロール体１０の巻芯２２の両端部のそれぞれに着脱自在に嵌合される一対の軸部材２３と、巻芯２２の両端部のそれぞれに嵌合された一対の軸部材２３を支持する一対の支持部材９と、パレット１に取り付けられ、ロール体１０の搭載位置を挟む両側位置に配置された一対の支持部材９を着脱自在に保持する一対の台座８とを有する。さらに、ロール体用コンテナ４０は、パレット１の上方に搭載されたロール体１０を囲うスリーブ２６と、スリーブ２６の上端開口を塞ぐ蓋体２７とを有する。
【００２６】
ロール体１０は、筒状（図２では、円筒状）の巻芯２２の軸方向の幅と略同じ幅のフィルム、シート、紙あるいは織物等の帯状物を巻芯２２に巻いたものである。巻芯２２の軸方向の両端部は、ロール体１０の端面よりも外側に突出している。この例では、巻芯２２を水平方向に向けた互いに平行な２本のロール体１０をロール体用コンテナ４０に搭載・保持する。
【００２７】
（ロール体用コンテナ４０の各部の構成）
次に、ロール体用コンテナ４０の各部の構成を図２〜図８に基づいて説明する。なお、以下の説明において、「パレット前後方向」は、パレット１に支持されるロール体１０の軸方向に沿う方向を示し、「パレット幅方向」は、パレット１に支持されるロール体１０の軸直角方向に沿う方向を示す。
【００２８】
（パレット１の構成）
図３に示すように、パレット１は、二重壁構造を有する樹脂製の中空成形体であり、外形形状が略正方形である外壁２を有する。パレット１は、上面側から下面側に向けて凹む複数の脚部３と、複数の脚部３の間に形成されフォークリフトの爪３３を挿入させる挿入部４と、外壁２の内周面に沿って起立した周囲壁５とを有する。複数の脚部３は、パレット１において格子点状に設けられる。複数の脚部３のうち、パレット１の４つの隅部に設けられる脚部３は、軸部材２３（図２参照）を収納可能である。
【００２９】
外壁２と周囲壁５の間には、外壁２の四辺の全周に亘って支持溝６が形成されている。また、パレット１の上面のうち周囲壁５で囲われる部分には、平坦部７が形成されている。以上のように構成される中空成形体のパレット１は、複数の脚部３を構成する壁である複数のリブ１２により補強された構造となっている。
【００３０】
（台座８の構成）
台座８は、パレット１とは別部材で構成され、平坦部７のパレット前後方向の両端部それぞれに配置される。平坦部７において一対の台座８の間に形成される空間部３４は、スリーブ２６（図２参照）および支持部材９（図２参照）を倒伏姿勢で収納可能である。
【００３１】
図４（ａ）および（ｂ）に示すように、一対の台座８のそれぞれは、パレット幅方向に延びる細長い形状である。台座８の両端部のそれぞれには、ビス孔１３が設けられる。台座８は、両端部のビス孔１３のそれぞれにビス１４（本発明にいう「締め付け部材」に相当）を通して平坦部７（図３参照）にねじ込むことで、パレット１（図３参照）に締め付けられて固定される。また、台座８は、台座８の長手方向に沿って設けられ、上方に開放する嵌合溝１１を有する。嵌合溝１１は、支持部材９（図２参照）を上方から嵌合させて固定する機能を有する。嵌合溝１１には、パレット１（図３参照）に台座８を固定するための凹部１５が所定の間隔で複数形成されている。これら複数の凹部１５の一部または全部にリベット１６を通し、このリベット１６によって、凹部１５とパレット１（図３参照）を固定してもよい。さらに、台座８の長手方向の両端部のそれぞれには、位置決め凸部８ａが設けられる。
【００３２】
位置決め凸部８ａは、平面形状がＬ宇型に形成されており、ロール体用コンテナ４０（図１参照）を減容するときに、後述する蓋体２７の位置決め凹部２９ａ（図８参照）に嵌り込む。
【００３３】
（軸部材２３の構成）
図２に戻る。図２に示すように、一対の軸部材２３のそれぞれは、巻芯２２の両端部に嵌合されてロール体１０の芯軸を構成するものである。各軸部材２３は、巻芯２２の端部に挿入される円筒状の基軸部２３ａと、この基軸部２３ａの一端に設けられる鍔部２３ｂと、鍔部２３ｂに周方向に沿って設けられる周溝２３ｃと、軸部材２３の略中心位置から軸直角方向に形成される回り止め溝２４とを有する。この回り止め溝２４は、軸部材２３の軸方向に沿って延び、軸部材２３の軸方向の両側および軸部材２３の上方に開放する。
【００３４】
（支持部材９の構成）
一対の支持部材９のそれぞれは、一対の軸部材２３を介してロール体１０を支持するものであり、軸部材２３を支持する部分を境に上下方向に分割可能な下部材１７および上部材１８で構成される。
【００３５】
図５および図６に示すように、下部材１７は、起立した姿勢で台座８の嵌合溝１１に挿入されることにより、台座８に取り付けられる。下部材１７は、上向きに開放する略半円状の下軸受け部１９を有する。下軸受け部１９は、軸部材２３の周溝２３ｃに下方から嵌合する。
【００３６】
一方、上部材１８は、下部材１７の上端部に対して着脱自在であり、下向きに開放する略半円状の上軸受け部２１を有する。上軸受け部２１は、軸部材２３の周溝２３ｃに上方から嵌合する。また、上軸受け部２１は、下方に突出する回り止め凸部２０を有する。回り止め凸部２０は、軸部材２３の回り止め溝２４に嵌合して軸部材２３の回転を阻止する。なお、下方に開放する回り止め溝２４を軸部材２３に設けると共に回り止め凸部２０を下軸受け部１９に設けることも可能である。すなわち、下軸受け部１９および上軸受け部２１のうち少なくとも一方に回り止め凸部２０を設ければ、軸部材２３の回転を阻止することが可能である。
【００３７】
（蓋体２７、上部台座２９の構成）
図７に示すように、蓋体２７の外形形状は、パレット１（図２参照）の外形形状に合わせて略正方形に形成される。蓋体２７は、スリーブ２６（図２参照）の上端部に嵌合可能な嵌合溝２５と、一対の支持部材９（図２参照）を上方から保持する一対の上部台座２９とを下面に有する。一対の上部台座２９は、蓋体２７のパレット前後方向の両端部それぞれに配置される。
【００３８】
図８（ａ）および（ｂ）に示すように、各上部台座２９は、パレット幅方向に延びる細長い形状であり、台座８（図４参照）と略同一の構成を有する。上部台座２９には、上部台座２９の長手方向に沿って設けられ下方に開放する嵌合溝３０が設けられる。嵌合溝３０には、上部台座２９を蓋体２７（図７参照）に固定のための凹部３１が所定の間隔で複数形成されている。これら複数の凹部３１の一部または全部には、リベット３２が通される。このリベット３２によって、凹部３１と蓋体２７（図７参照）は、締め付けられて固定される。さらに、上部台座２９の長手方向の両端部のそれぞれには、位置決め凹部２９ａが設けられる。この位置決め凹部２９ａは、平面形状がＬ宇型に形成されており、ロール体用コンテナ４０（図１参照）を減容するときに、台座８の位置決め凸部８ａ（図４参照）に嵌り込む。
【００３９】
このように互いに嵌合する位置決め凹部２９ａおよび位置決め凸部８ａ（図４参照）によって、台座８（図４参照）と上部台座２９は、パレット１（図２参照）に蓋体２７（図２参照）が上方から重ねられたときに互いに噛み合う形状に形成される。
【００４０】
（ロール体用コンテナ４０の使用方法）
パレット１にロール体１０を搭載するには、図２に示すように、巻芯２２の両端部に一対の軸部材２３の基軸部２３ａを挿入する。次に、回り止め溝２４を上向きにした状態で、軸部材２３の周溝２３ｃを下軸受け部１９に嵌合させることにより、嵌合溝１１に保持された下部材１７に軸部材２３を支持させる。
【００４１】
続いて、回り止め凸部２０を回り止め溝２４に嵌合させながら上軸受け部２１を軸部材２３の周溝２３ｃに嵌合させて、上部材１８を下部材１７に上方から合わせる。これにより、ロール体１０は、軸方向の移動、軸直角方向の移動および回転が阻止された状態で、一対の支持部材９に支持される。
【００４２】
次に、パレット１の支持溝６にスリーブ２６の下端部を嵌め込んで、ロール体１０の周囲をスリーブ２６で覆う。さらに、上部台座２９の嵌合溝３０（図８参照）に上部材１８の上端部を保持させ、且つ、嵌合溝２５（図７参照）をスリーブ２６の上端部に嵌合させることにより、スリーブ２６に蓋体２７を被せてロール体１０の上方を蓋体２７で覆う。そして、パレット１と蓋体２７に巻き掛けた複数本のベルト２８により、パレット１と蓋体２７を結束して、輸送等に使用される態様のロール体用コンテナ４０を得る（図１参照）。
【００４３】
一方、輸送等を終えたロール体用コンテナ４０では、ロール体１０の巻芯２２から一対の軸部材２３を取り外すと共に、蓋体２７、スリーブ２６および一対の支持部材９をパレット１から取り外す。
【００４４】
次に、図９に示すように、スリーブ２６および一対の支持部材９を一対の台座８の間の空間部３４（図３参照）に倒伏姿勢で重ねて収納する一方、軸部材２３を４隅の脚部３の内側に収納する。さらに、上部台座２９の位置決め凹部２９ａに台座８の位置決め凸部８ａを嵌め込みながら、スリーブ２６および支持部材９の上に蓋体２７を被せる。そして、図１０に示すように、パレット１および蓋体２７に複数本のベルト２８を巻き掛けて結束して、回収態様のロール体用コンテナ４０を得る。
【００４５】
このように、ロール体用コンテナ４０によれば、使用と回収を繰り返し行うことができるリターナブルコンテナが構成される。また、回収態様では、嵩張ることなく全体が減容化され、且つ、上下方向および左右方向において不動状態が保持されたロール体用コンテナ４０が得られる。
【００４６】
（実施形態の作用・効果）
以上、説明したロール体用コンテナ４０の作用・効果について述べる。
本実施形態によれば、パレット１に取り付けられる台座８により、支持部材９を保持することができる。すなわち、支持部材９をパレット１に取り付けるための専用の台座８を、ロール体１０の軸方向の幅に合わせて適切な位置に配置することにより、支持部材９をパレット１に強固に取り付けることができる。したがって、搭載されるロール体１０を安定的且つ確実に不動状態に保持することができる。
【００４７】
また、パレット１とは別部材で台座８を構成したので、台座８の設計の自由度が高まる。これにより、支持部材９の取り付け強度を確保するうえで最適に構成された台座８を用いて、支持部材９をパレット１に取り付けることができる。また、支持部材９を嵌合溝１１に上から嵌合するだけで、支持部材９を台座８に固定できるので、支持部材９の取り付け作業の容易化を図ることができる。
【００４８】
また、ビス１４等の締め付け部材によって、パレット１に台座８がしっかりと固定されるので、支持部材９の取り付け強度をより高めることができる。
【００４９】
また、支持部材９の上端部が蓋体２７の上部台座２９によって保持されるので、支持部材９の姿勢を安定させることができる。これと同時に、スリーブ２６の上端開口を蓋体２７で塞ぐときに蓋体２７の位置決めを行うこともできる。
【００５０】
また、回り止め溝２４と回り止め凸部２０との嵌合により、軸部材２３の回転が阻止される。これにより、ロール体１０の回転も阻止されるので、搭載されるロール体１０の不動状態を回転方向においても保持することができる。
【００５１】
また、巻芯２２から取り外された軸部材２３を脚部３に収納できるので、使用後においてロール体用コンテナ４０の減容化を図ることができる。さらに、パレット１から取り外されたスリーブ２６および支持部材９を一対の台座８の間の空間部３４に収納した後、パレット１に蓋体２７を上方から重ねることで、使用後においてロール体用コンテナ４０をより一層減容化することができる。加えて、台座８と上部台座２９を互いに噛み合う形状に形成したので、パレット１に蓋体２７を上方から重ねたときに蓋体２７の位置決めを行うこともでき、且つ、減容時のロール体用コンテナ４０の高さをより低く抑えることができる。
【００５２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【産業上の利用可能性】
【００５３】
本発明は、ロール体を安全且つ効率的に輸送するロール体用コンテナに好適であるが、保管や貯蔵など広範な用途に供することができる。
【符号の説明】
【００５４】
１      パレット
３      脚部
８      台座
８ａ    位置決め凸部
９      支持部材
１０    ロール体
１１    嵌合溝
１４    ビス（締め付け部材）
１７    下部材
１８    上部材
１９    下軸受け部
２０    回り止め凸部
２１    上軸受け部
２２    巻芯
２３    軸部材
２４    回り止め溝
２６    スリーブ
２７    蓋体
２９    上部台座
２９ａ  位置決め凹部
３４    空間部
４０    ロール体用コンテナ
【図１】
2013227071.tif 000003
【図２】
2013227071.tif 000004
【図３】
2013227071.tif 000005
【図４】
2013227071.tif 000006
【図５】
2013227071.tif 000007
【図６】
2013227071.tif 000008
【図７】
2013227071.tif 000009
【図８】
2013227071.tif 000010
【図９】
2013227071.tif 000011
【図１０】
2013227071.tif 000012